(57)【特許請求の範囲】
【請求項１】
横架材の前面に取り付けられた機器から導出された配管を前記横架材の出隅コーナーの近傍で覆う出隅コーナー用化粧カバーであって、
前記横架材の下面に取り付けられる取付ベースと、この取付ベースに着脱自在に取り付けられる略コ字断面形状のカバー片とから構成され、
前記カバー片は、前記配管を導入する配管導入面を備えた第１開口部と、前記配管を導出する配管導出面を備えた第２開口部とを有し、
前記第１開口部および前記第２開口部は、前記配管導入面と前記配管導出面とが互いに交差するように形成され、
前記カバー片は、前記取付ベースに取り付けられた状態で、前記第２開口部の側部開口面が前記横架材の下面にほぼ接するとともに、前記第１開口部の前記配管導入面が前記横架材の下面とほぼ面一になるように構成され、
前記配管を覆うためのスライド片は、全長に渡って前記第１開口部と略同じ略コ字断面形状を呈しており、前記配管導入面と直交する方向に移動自在に設けられ、移動させられることにより、前記第１開口部の前記配管導入面から外部へ突出した状態と、ほぼ全体が前記カバー片の内部に収納された状態となるように、所定の長さに形成され、
前記取付ベースに把持片が設けられるとともに、前記スライド片に被把持片が設けられ、前記スライド片は、前記被把持片が前記把持片に弾性的に把持されることにより、前記第１開口部の前記配管導入面から外部へ突出した状態で前記取付ベースに移動方向の任意の位置で保持されるとともに、ほぼ全体が前記カバー片の内部に収納された状態で前記取付ベースに保持されるように構成されていることを特徴とする出隅コーナー用化粧カバー。
【請求項２】
横架材の前面に取り付けられた機器から導出された配管を前記横架材の出隅コーナーの近傍で覆う出隅コーナー用化粧カバーであって、
前記横架材の下面に取り付けられる取付ベースと、この取付ベースに着脱自在に取り付けられる略コ字断面形状のカバー片とから構成され、
前記カバー片は、前記配管を導入する配管導入面を備えた第１開口部と、前記配管を導出する配管導出面を備えた第２開口部とを有し、
前記第１開口部および前記第２開口部は、前記配管導入面と前記配管導出面とが互いに交差するように形成され、
前記カバー片は、前記取付ベースに取り付けられた状態で、前記第２開口部の側部開口面が前記横架材の下面にほぼ接するとともに、前記第１開口部の前記配管導入面が前記横架材の下面とほぼ面一になるように構成され、
前記配管を覆うためのスライド片は、全長に渡って前記第１開口部と略同じ略コ字断面形状を呈しており、前記配管導入面と直交する方向に移動自在に設けられ、移動させられることにより、前記第１開口部の前記配管導入面から外部へ突出した状態と、ほぼ全体が前記カバー片の内部に収納された状態となるように、所定の長さに形成され、
前記カバー片に把持片が設けられるとともに、前記スライド片に被把持片が設けられ、前記スライド片は、前記被把持片が前記把持片に弾性的に把持されることにより、前記第１開口部の前記配管導入面から外部へ突出した状態で前記カバー片に移動方向の任意の位置で保持されるとともに、ほぼ全体が前記カバー片の内部に収納された状態で前記カバー片に保持されるように構成されていることを特徴とする出隅コーナー用化粧カバー。
【請求項３】
横架材の前面に取り付けられた機器から導出された配管を前記横架材の出隅コーナーの近傍で覆う出隅コーナー用化粧カバーであって、
前記横架材の前面に取り付けられる取付ベースと、この取付ベースに着脱自在に取り付けられる略コ字断面形状のカバー片とから構成され、
前記カバー片は、前記配管を導入する配管導入面を備えた第２開口部と、前記配管を導出する配管導出面を備えた第１開口部とを有し、
前記第２開口部および前記第１開口部は、前記配管導入面と前記配管導出面とが互いに交差するように形成され、
前記カバー片は、前記取付ベースに取り付けられた状態で、前記第２開口部の側部開口面が前記横架材の前面にほぼ接するとともに、前記第１開口部の前記配管導出面が前記横架材の前面とほぼ面一になるように構成され、
前記配管を覆うためのスライド片は、全長に渡って前記第１開口部と略同じ略コ字断面形状を呈しており、前記配管導出面と直交する方向に移動自在に設けられ、移動させられることにより、前記第１開口部の前記配管導出面から外部へ突出した状態と、ほぼ全体が前記カバー片の内部に収納された状態となるように、所定の長さに形成され、
前記取付ベースに把持片が設けられるとともに、前記スライド片に被把持片が設けられ、前記スライド片は、前記被把持片が前記把持片に弾性的に把持されることにより、前記第１開口部の前記配管導出面から外部へ突出した状態で前記取付ベースに移動方向の任意の位置で保持されるとともに、ほぼ全体が前記カバー片の内部に収納された状態で前記取付ベースに保持されるように構成されていることを特徴とする出隅コーナー用化粧カバー。
【請求項４】
横架材の前面に取り付けられた機器から導出された配管を前記横架材の出隅コーナーの近傍で覆う出隅コーナー用化粧カバーであって、
前記横架材の前面に取り付けられる取付ベースと、この取付ベースに着脱自在に取り付けられる略コ字断面形状のカバー片とから構成され、
前記カバー片は、前記配管を導入する配管導入面を備えた第２開口部と、前記配管を導出する配管導出面を備えた第１開口部とを有し、
前記第２開口部および前記第１開口部は、前記配管導入面と前記配管導出面とが互いに交差するように形成され、
前記カバー片は、前記取付ベースに取り付けられた状態で、前記第２開口部の側部開口面が前記横架材の前面にほぼ接するとともに、前記第１開口部の前記配管導出面が前記横架材の前面とほぼ面一になるように構成され、
前記配管を覆うためのスライド片は、全長に渡って前記第１開口部と略同じ略コ字断面形状を呈しており、前記配管導出面と直交する方向に移動自在に設けられ、移動させられることにより、前記第１開口部の前記配管導出面から外部へ突出した状態と、ほぼ全体が前記カバー片の内部に収納された状態となるように、所定の長さに形成され、
前記カバー片に把持片が設けられるとともに、前記スライド片に被把持片が設けられ、前記スライド片は、前記被把持片が前記把持片に弾性的に把持されることにより、前記第１開口部の前記配管導出面から外部へ突出した状態で前記カバー片に移動方向の任意の位置で保持されるとともに、ほぼ全体が前記カバー片の内部に収納された状態で前記カバー片に保持されるように構成されていることを特徴とする出隅コーナー用化粧カバー。
【請求項５】
前記スライド片は、当該スライド片の脱落を防ぐためのストッパを有していることを特徴とする請求項１乃至４のいずれかに記載の出隅コーナー用化粧カバー。
【請求項６】
前記取付ベースは、当該取付ベースを前記横架材の出隅コーナーに位置決めするための位置決めリブを有していることを特徴とする請求項１乃至５のいずれかに記載の出隅コーナー用化粧カバー。
【発明の詳細な説明】
【技術分野】
【０００１】
本発明は、例えば、空気調和装置（エアコン）の室内機などの機器を建物の梁、桁などの横架材に据え付ける際に、その横架材の出隅コーナーに取り付けるのに好適な出隅コーナー用化粧カバーに関するものである。
【背景技術】
【０００２】
一般に、建物に空気調和装置を設置する際には、建物の内部（室内）に室内機を据え付けるとともに、建物の外部（室外）に室外機を据え付ける。そして、室内機と室外機との間に配管（冷媒配管、ドレンホース、電線など）を配設し、この配管を覆って保護するように配管保護カバーを取り付ける（例えば、特許文献１参照）。
【０００３】
そして、図１０に示すように、建物の横架材１９の前面１９ａに室内機１１を据え付ける際には、この室内機１１の下面１１ａから導出された配管１８を保護するため、複数の配管保護カバーとして、導出部用化粧カバー１２、第１配管ダクト１３、出隅コーナー用化粧カバー１、第２配管ダクト１５、入隅コーナー用化粧カバー１６、第３配管ダクト１７を横架材１９および内壁Ｗに沿う形で取り付けて配管１８を覆っている。ここで、室内機１１の下側には、導出部用化粧カバー１２、第１配管ダクト１３および出隅コーナー用化粧カバー１が順に連結されている。また、出隅コーナー用化粧カバー１の後方には、第２配管ダクト１５および入隅コーナー用化粧カバー１６が順に連結されている。さらに、この入隅コーナー用化粧カバー１６の下側には、第３配管ダクト１７が連結されている。
【先行技術文献】
【特許文献】
【０００４】
【特許文献１】実開昭６２−４０３９６号公報（第７図）
【発明の概要】
【発明が解決しようとする課題】
【０００５】
近年、マンションなどの集合住宅においては、室内の居住空間を広げたいという要望が強い。こうした要望に応えるべく、構造躯体としての耐力に支障が生じない範囲内で横架材１９の断面積をできるだけ小さくするため、横架材１９の高さＤ１を低くしたり、横架材１９の奥行きＤ２を短くしたりする傾向にある。
【０００６】
しかしながら、横架材１９の高さＤ１が低くなると、横架材１９の前面１９ａに室内機１１を据え付ける際に、室内機１１と天井Ｃとの間に所定の隙間を確保すべく、室内機１１の下面１１ａが横架材１９の下面１９ｂにほぼ一致させざるを得ない場合がある。この場合、出隅コーナー用化粧カバー１は、横架材１９の出隅コーナー１９ｃから上方、つまり室内機１１側に向けて突出する第１開口部３ａを有しているため、たとえ導出部用化粧カバー１２や第１配管ダクト１３を省いたとしても、この出隅コーナー用化粧カバー１の第１開口部３ａが室内機１１の下面１１ａと干渉する。その結果、出隅コーナー用化粧カバー１が下方にずれてしまい、横架材１９の出隅コーナー１９ｃに出隅コーナー用化粧カバー１を隙間なく取り付けることができなくなる恐れがある。
【０００７】
また、出隅コーナー用化粧カバー１は、横架材１９の出隅コーナー１９ｃから後方、つまり入隅コーナー用化粧カバー１６側に向けて突出する第２開口部３ｂを有している。そのため、横架材１９の奥行きＤ２が短くなると、たとえ第２配管ダクト１５を省いたとしても、この出隅コーナー用化粧カバー１の第２開口部３ｂが入隅コーナー用化粧カバー１６と干渉する。その結果、出隅コーナー用化粧カバー１が前方にずれてしまい、横架材１９の出隅コーナー１９ｃに出隅コーナー用化粧カバー１を隙間なく取り付けることができなくなる恐れがある。
【０００８】
本発明は、このような事情に鑑み、横架材の断面積が小さい場合であっても、この横架材の出隅コーナーに隙間なく適正に取り付けることが可能な出隅コーナー用化粧カバーを提供することを目的とする。
【課題を解決するための手段】
【０００９】
かかる目的を達成するため、請求項１に記載の発明は、横架材の前面に取り付けられた機器から導出された配管を前記横架材の出隅コーナーの近傍で覆う出隅コーナー用化粧カバーであって、前記横架材の下面に取り付けられる取付ベースと、この取付ベースに着脱自在に取り付けられる略コ字断面形状のカバー片とから構成され、前記カバー片は、前記配管を導入する配管導入面を備えた第１開口部と、前記配管を導出する配管導出面を備えた第２開口部とを有し、前記第１開口部および前記第２開口部は、前記配管導入面と前記配管導出面とが互いに交差するように形成され、前記カバー片は、前記取付ベースに取り付けられた状態で、前記第２開口部の側部開口面が前記横架材の下面にほぼ接するとともに、前記第１開口部の前記配管導入面が前記横架材の下面とほぼ面一になるように構成され、前記配管を覆うためのスライド片は、全長に渡って前記第１開口部と略同じ略コ字断面形状を呈しており、前記配管導入面と直交する方向に移動自在に設けられ、移動させられることにより、前記第１開口部の前記配管導入面から外部へ突出した状態と、ほぼ全体が前記カバー片の内部に収納された状態となるように、所定の長さに形成され、前記取付ベースに把持片が設けられるとともに、前記スライド片に被把持片が設けられ、前記スライド片は、前記被把持片が前記把持片に弾性的に把持されることにより、前記第１開口部の前記配管導入面から外部へ突出した状態で前記取付ベースに移動方向の任意の位置で保持されるとともに、ほぼ全体が前記カバー片の内部に収納された状態で前記取付ベースに保持されるように構成されている出隅コーナー用化粧カバーとしたことを特徴とする。
【００１０】
また、請求項２に記載の発明は、横架材の前面に取り付けられた機器から導出された配管を前記横架材の出隅コーナーの近傍で覆う出隅コーナー用化粧カバーであって、前記横架材の下面に取り付けられる取付ベースと、この取付ベースに着脱自在に取り付けられる略コ字断面形状のカバー片とから構成され、前記カバー片は、前記配管を導入する配管導入面を備えた第１開口部と、前記配管を導出する配管導出面を備えた第２開口部とを有し、前記第１開口部および前記第２開口部は、前記配管導入面と前記配管導出面とが互いに交差するように形成され、前記カバー片は、前記取付ベースに取り付けられた状態で、前記第２開口部の側部開口面が前記横架材の下面にほぼ接するとともに、前記第１開口部の前記配管導入面が前記横架材の下面とほぼ面一になるように構成され、前記配管を覆うためのスライド片は、全長に渡って前記第１開口部と略同じ略コ字断面形状を呈しており、前記配管導入面と直交する方向に移動自在に設けられ、移動させられることにより、前記第１開口部の前記配管導入面から外部へ突出した状態と、ほぼ全体が前記カバー片の内部に収納された状態となるように、所定の長さに形成され、前記カバー片に把持片が設けられるとともに、前記スライド片に被把持片が設けられ、前記スライド片は、前記被把持片が前記把持片に弾性的に把持されることにより、前記第１開口部の前記配管導入面から外部へ突出した状態で前記カバー片に移動方向の任意の位置で保持されるとともに、ほぼ全体が前記カバー片の内部に収納された状態で前記カバー片に保持されるように構成されている出隅コーナー用化粧カバーとしたことを特徴とする。
【００１１】
また、請求項３に記載の発明は、横架材の前面に取り付けられた機器から導出された配管を前記横架材の出隅コーナーの近傍で覆う出隅コーナー用化粧カバーであって、前記横架材の前面に取り付けられる取付ベースと、この取付ベースに着脱自在に取り付けられる略コ字断面形状のカバー片とから構成され、前記カバー片は、前記配管を導入する配管導入面を備えた第２開口部と、前記配管を導出する配管導出面を備えた第１開口部とを有し、前記第２開口部および前記第１開口部は、前記配管導入面と前記配管導出面とが互いに交差するように形成され、前記カバー片は、前記取付ベースに取り付けられた状態で、前記第２開口部の側部開口面が前記横架材の前面にほぼ接するとともに、前記第１開口部の前記配管導出面が前記横架材の前面とほぼ面一になるように構成され、前記配管を覆うためのスライド片は、全長に渡って前記第１開口部と略同じ略コ字断面形状を呈しており、前記配管導出面と直交する方向に移動自在に設けられ、移動させられることにより、前記第１開口部の前記配管導出面から外部へ突出した状態と、ほぼ全体が前記カバー片の内部に収納された状態となるように、所定の長さに形成され、前記取付ベースに把持片が設けられるとともに、前記スライド片に被把持片が設けられ、前記スライド片は、前記被把持片が前記把持片に弾性的に把持されることにより、前記第１開口部の前記配管導出面から外部へ突出した状態で前記取付ベースに移動方向の任意の位置で保持されるとともに、ほぼ全体が前記カバー片の内部に収納された状態で前記取付ベースに保持されるように構成されている出隅コーナー用化粧カバーとしたことを特徴とする。
【００１２】
また、請求項４に記載の発明は、横架材の前面に取り付けられた機器から導出された配管を前記横架材の出隅コーナーの近傍で覆う出隅コーナー用化粧カバーであって、前記横架材の前面に取り付けられる取付ベースと、この取付ベースに着脱自在に取り付けられる略コ字断面形状のカバー片とから構成され、前記カバー片は、前記配管を導入する配管導入面を備えた第２開口部と、前記配管を導出する配管導出面を備えた第１開口部とを有し、前記第２開口部および前記第１開口部は、前記配管導入面と前記配管導出面とが互いに交差するように形成され、前記カバー片は、前記取付ベースに取り付けられた状態で、前記第２開口部の側部開口面が前記横架材の前面にほぼ接するとともに、前記第１開口部の前記配管導出面が前記横架材の前面とほぼ面一になるように構成され、前記配管を覆うためのスライド片は、全長に渡って前記第１開口部と略同じ略コ字断面形状を呈しており、前記配管導出面と直交する方向に移動自在に設けられ、移動させられることにより、前記第１開口部の前記配管導出面から外部へ突出した状態と、ほぼ全体が前記カバー片の内部に収納された状態となるように、所定の長さに形成され、前記カバー片に把持片が設けられるとともに、前記スライド片に被把持片が設けられ、前記スライド片は、前記被把持片が前記把持片に弾性的に把持されることにより、前記第１開口部の前記配管導出面から外部へ突出した状態で前記カバー片に移動方向の任意の位置で保持されるとともに、ほぼ全体が前記カバー片の内部に収納された状態で前記カバー片に保持されるように構成されている出隅コーナー用化粧カバーとしたことを特徴とする。
【００１５】
また、請求項５に記載の発明は、請求項１乃至４のいずれかに記載の構成に加え、前記スライド片は、当該スライド片の脱落を防ぐためのストッパを有していることを特徴とする。
【００１６】
さらに、請求項６に記載の発明は、請求項１乃至５のいずれかに記載の構成に加え、前記取付ベースは、当該取付ベースを前記横架材の出隅コーナーに位置決めするための位置決めリブを有していることを特徴とする。
【発明の効果】
【００１７】
請求項１に記載の発明によれば、カバー片は、取付ベースに取り付けられた状態で、第２開口部の側部開口面が横架材の下面にほぼ接するとともに、第１開口部の配管導入面が横架材の下面とほぼ面一になるように構成されているので、横架材の高さが低い場合であっても、この横架材の出隅コーナーに出隅コーナー用化粧カバーを隙間なく適正に取り付けることが可能となる。
また、スライド片がカバー片の内部に収納され得る形で移動自在に設けられているので、機器とカバー片との間に隙間がない場合には、スライド片をカバー片の内部に収納した状態で使用することにより、スライド片がないものと同様、出隅コーナー用化粧カバーを隙間なく適正に取り付けることができる。逆に、機器とカバー片との間に隙間がある場合には、スライド片を外部へ突出させることにより、この隙間を覆うことができる。その結果、この隙間を覆うための隙間カバーを別途用意しなくても、機器の据付に付随する配管保護作業を迅速に行うことができ、配管保護カバーの施工性を改善することが可能となる。
さらに、スライド片が取付ベースに任意の位置で保持されるように構成されているので、スライド片が自重や外力などの影響を受けて所定の位置からずれてしまう事態を未然に防止することができる。
【００１８】
請求項２に記載の発明によれば、カバー片は、取付ベースに取り付けられた状態で、第２開口部の側部開口面が横架材の下面にほぼ接するとともに、第１開口部の配管導入面が横架材の下面とほぼ面一になるように構成されているので、横架材の高さが低い場合であっても、この横架材の出隅コーナーに出隅コーナー用化粧カバーを隙間なく適正に取り付けることが可能となる。
また、スライド片がカバー片の内部に収納され得る形で移動自在に設けられているので、機器とカバー片との間に隙間がない場合には、スライド片をカバー片の内部に収納した状態で使用することにより、スライド片がないものと同様、出隅コーナー用化粧カバーを隙間なく適正に取り付けることができる。逆に、機器とカバー片との間に隙間がある場合には、スライド片を外部へ突出させることにより、この隙間を覆うことができる。その結果、この隙間を覆うための隙間カバーを別途用意しなくても、機器の据付に付随する配管保護作業を迅速に行うことができ、配管保護カバーの施工性を改善することが可能となる。
さらに、スライド片がカバー片に任意の位置で保持されるように構成されているので、スライド片が自重や外力などの影響を受けて所定の位置からずれてしまう事態を未然に防止することができる。
【００１９】
請求項３に記載の発明によれば、カバー片は、取付ベースに取り付けられた状態で、第２開口部の側部開口面が横架材の前面にほぼ接するとともに、第１開口部の配管導出面が横架材の前面とほぼ面一になるように構成されているので、横架材の奥行きが短い場合であっても、この横架材の出隅コーナーに出隅コーナー用化粧カバーを隙間なく適正に取り付けることが可能となる。
また、スライド片がカバー片の内部に収納され得る形で移動自在に設けられているので、出隅コーナー用化粧カバーと入隅コーナー用化粧カバーとの間に隙間がない場合には、スライド片をカバー片の内部に収納した状態で使用することにより、スライド片がないものと同様、出隅コーナー用化粧カバーを隙間なく適正に取り付けることができる。逆に、出隅コーナー用化粧カバーと入隅コーナー用化粧カバーとの間に隙間がある場合には、スライド片を外部へ突出させることにより、この隙間を覆うことができる。その結果、この隙間を覆うための隙間カバーを別途用意しなくても、機器の据付に付随する配管保護作業を迅速に行うことができ、配管保護カバーの施工性を改善することが可能となる。
さらに、スライド片が取付ベースに任意の位置で保持されるように構成されているので、スライド片が自重や外力などの影響を受けて所定の位置からずれてしまう事態を未然に防止することができる。
【００２０】
請求項４に記載の発明によれば、カバー片は、取付ベースに取り付けられた状態で、第２開口部の側部開口面が横架材の前面にほぼ接するとともに、第１開口部の配管導出面が横架材の前面とほぼ面一になるように構成されているので、横架材の奥行きが短い場合であっても、この横架材の出隅コーナーに出隅コーナー用化粧カバーを隙間なく適正に取り付けることが可能となる。
また、スライド片がカバー片の内部に収納され得る形で移動自在に設けられているので、出隅コーナー用化粧カバーと入隅コーナー用化粧カバーとの間に隙間がない場合には、スライド片をカバー片の内部に収納した状態で使用することにより、スライド片がないものと同様、出隅コーナー用化粧カバーを隙間なく適正に取り付けることができる。逆に、出隅コーナー用化粧カバーと入隅コーナー用化粧カバーとの間に隙間がある場合には、スライド片を外部へ突出させることにより、この隙間を覆うことができる。その結果、この隙間を覆うための隙間カバーを別途用意しなくても、機器の据付に付随する配管保護作業を迅速に行うことができ、配管保護カバーの施工性を改善することが可能となる。
さらに、スライド片がカバー片に任意の位置で保持されるように構成されているので、スライド片が自重や外力などの影響を受けて所定の位置からずれてしまう事態を未然に防止することができる。
【００２３】
請求項５に記載の発明によれば、スライド片がストッパを有しているので、スライド片の脱落をストッパによって防ぐことが可能となる。
【００２４】
請求項６に記載の発明によれば、取付ベースが、取付ベースを横架材の出隅コーナーに位置決めするための位置決めリブを有しているので、取付ベースの位置決めを迅速かつ正確に行うことができる。その結果、配管保護カバーの施工性をさらに改善することが可能となる。
【図面の簡単な説明】
【００２５】
【図１】本発明の実施の形態１に係る出隅コーナー用化粧カバーを示す図であって、（ａ）はその組立斜視図（スライド片が後退しているとき）、（ｂ）はその組立斜視図（スライド片が突出しているとき）、（ｃ）はその分解斜視図、（ｄ）は取付ベースによるスライド片の保持状態を示す水平断面図である。
【図２】図１に示す出隅コーナー用化粧カバーの取付ベースを示す図であって、（ａ）はその正面図、（ｂ）はその左側面図、（ｃ）はその右側面図、（ｄ）はその平面図、（ｅ）はその斜視図である。
【図３】図１に示す出隅コーナー用化粧カバーのカバー片を示す図であって、（ａ）はその正面図、（ｂ）はその底面図、（ｃ）はその右側面図、（ｄ）は（ｃ）のＡ−Ａ断面図、（ｅ）はその斜視図である。
【図４】図１に示す出隅コーナー用化粧カバーのスライド片を示す図であって、（ａ）はその正面図、（ｂ）はその底面図、（ｃ）はその右側面図、（ｄ）は（ｃ）のＢ−Ｂ断面図である。
【図５】図１に示す出隅コーナー用化粧カバーの第１の使用状態を示す斜視図である。
【図６】図１に示す出隅コーナー用化粧カバーの第１の使用状態を示す縦断面図である。
【図７】図１に示す出隅コーナー用化粧カバーの第２の使用状態を示す縦断面図である。
【図８】図１に示す出隅コーナー用化粧カバーの第３の使用状態を示す縦断面図である。
【図９】図１に示す出隅コーナー用化粧カバーの第４の使用状態を示す縦断面図である。
【図１０】従来の出隅コーナー用化粧カバーの使用状態を示す縦断面図である。
【発明を実施するための形態】
【００２６】
以下、本発明の実施の形態について説明する。
［発明の実施の形態１］
【００２７】
図１乃至図９には、本発明の実施の形態１を示す。
【００２８】
実施の形態１に係る出隅コーナー用化粧カバー１は、図５および図６に示すように、横架材１９の前面１９ａに取り付けられた室内機１１の下面１１ａから導出された配管１８を横架材１９の出隅コーナー１９ｃの近傍で覆うものであり、合成樹脂から成形されている。この合成樹脂としては、例えば、ＡＥＳ樹脂、ＡＢＳ樹脂、ＡＳＡ樹脂、ＡＣＳ樹脂、ポリエチレン、ポリプロピレン、ポリカーボネートなどが挙げられる。この出隅コーナー用化粧カバー１は、図１に示すように、略コ字断面形状の取付ベース２と、略コ字断面形状のカバー片３と、略コ字断面形状のスライド片４とから構成されている。
【００２９】
取付ベース２は、図２に示すように、平板状の底板２ａを有しており、底板２ａのほぼ中央部には、円形のねじ孔２ｂが形成されている。また、底板２ａの左右両端には、一対の立ち上がり片２ｃが互いに平行に立設されている。各立ち上がり片２ｃにはそれぞれ、その基部に係止溝２ｅが形成されているとともに、略コ字断面形状の把持片２ｆが添設されている。さらに、底板２ａには、取付ベース２を横架材１９の出隅コーナー１９ｃに位置決めするための２個の位置決めリブ２ｄが一体に形成されている。
【００３０】
カバー片３は、図３に示すように、配管１８を導入する配管導入面Ｐ１を備えた第１開口部３ａと、配管１８を導出する配管導出面Ｐ２を備えた第２開口部３ｂとを有している。ここで、第１開口部３ａおよび第２開口部３ｂは、配管導入面Ｐ１と配管導出面Ｐ２とが互いに直交するように形成されている。また、第２開口部３ｂの内面には、一対の係止爪３ｃが一体に形成されている。そして、カバー片３は、図３（ａ）、（ｄ）に示すように、第２開口部３ｂの側部開口面３ｄが配管導入面Ｐ１と面一になっている。
【００３１】
スライド片４は、図４に示すように、略コ字断面形状のスライド本体４ａを有しており、スライド本体４ａの両端にはそれぞれ、Ｌ字断面形状の被把持片４ｃが長さ方向の全長にわたって一体に形成されている。さらに、各被把持片４ｃの両端にはそれぞれ、一対のストッパ４ｂが一体に形成されている。
【００３２】
そして、カバー片３は、図１に示すように、取付ベース２に爪係止方式で着脱自在に取り付けられている。すなわち、図１（ａ）、（ｂ）に示すように、カバー片３の一対の係止爪３ｃが取付ベース２の一対の係止溝２ｅに係合することにより、取付ベース２とカバー片３とが互いに連結された状態になるとともに、図１（ｃ）に示すように、取付ベース２の一対の係止溝２ｅに対するカバー片３の一対の係止爪３ｃの係合が解除されることにより、取付ベース２とカバー片３との連結が解除された状態になる。
【００３３】
また、スライド片４は、図１に示すように、取付ベース２に対して、カバー片３の第１開口部３ａの配管導入面Ｐ１から外部へ突出する形で配管導入面Ｐ１と直交する方向（矢印Ｍ、Ｎ方向）に移動自在に、かつ、被把持片４ｃが把持片２ｆに弾性的に把持されることにより、取付ベース２に任意の位置で保持されるように構成されている。
【００３４】
次に、この出隅コーナー用化粧カバー１の使用方法について説明する。
【００３５】
すなわち、建物の横架材１９の前面１９ａに空気調和装置の室内機１１を据え付ける際には、この室内機１１の下面１１ａから導出された配管１８を保護するため、横架材１９および内壁Ｗに沿う形で配管保護カバーを取り付けて配管１８を覆っている。ここで、図５および図６に示すように、横架材１９の高さＤ１が低いため、室内機１１の下面１１ａが横架材１９の下面１９ｂより少しだけ上方に位置している場合には、この配管保護カバーとして、出隅コーナー用化粧カバー１、第２配管ダクト１５、入隅コーナー用化粧カバー１６、第３配管ダクト１７を用いる。このとき、出隅コーナー用化粧カバー１のカバー片３と室内機１１との間に少し隙間が生じるため、出隅コーナー用化粧カバー１は、次に述べるとおり、この隙間（室内機１１の下面１１ａと横架材１９の下面１９ｂとの高さの差）に応じてスライド片４を所定の距離だけ上向きに突出させた状態で取り付ける。
【００３６】
なお、出隅コーナー用化粧カバー１以外の配管保護カバー（第２配管ダクト１５、入隅コーナー用化粧カバー１６、第３配管ダクト１７）の施工については、公知の手順に従って行われるため、ここではその説明を省略する。
【００３７】
まず、ベース取付工程で、図６に示すように、横架材１９の下面１９ｂで出隅コーナー１９ｃの近傍に取付ベース２をねじ（図示せず）で固定する。それには、取付ベース２の底板２ａを横架材１９の下面１９ｂに宛い、この状態で、取付ベース２のねじ孔２ｂにねじを挿通して横架材１９の下面１９ｂにねじ込む。
【００３８】
このとき、取付ベース２には、上述したとおり、位置決めリブ２ｄが設けられているので、この位置決めリブ２ｄを横架材１９の出隅コーナー１９ｃに当てることにより、取付ベース２を所定の位置に正確かつ迅速に取り付けることができる。
【００３９】
その後、配管工程に移行し、この取付ベース２に沿って配管１８を配設する。
【００４０】
次いで、スライド取付工程に移行し、この配管１８を覆うように、取付ベース２にスライド片４を取り付ける。それには、取付ベース２の前方からスライド片４を近付けて取付ベース２に押し当てる。すると、図１（ｄ）に示すように、スライド片４の一対の被把持片４ｃが取付ベース２の一対の把持片２ｆに嵌合して弾性的に把持され、スライド片４が取付ベース２に移動自在に取り付けられた状態となる。そして、室内機１１の下面１１ａと横架材１９の下面１９ｂとの高さの差に応じて、スライド片４を所定の距離だけ室内機１１側へ上昇させる。このとき、スライド片４は、上述したとおり、取付ベース２に任意の位置で保持されるように構成されているので、スライド片４が自重などの影響を受けて所定の位置からずれてしまう事態を未然に防止することができる。しかも、スライド片４は、上述したとおり、各被把持片４ｃの両端に一対のストッパ４ｂが設けられているので、スライド片４の脱落をストッパ４ｂによって防ぐことができる。
【００４１】
最後に、カバー取付工程に移行し、このスライド片４および配管１８を覆うように、取付ベース２にカバー片３を取り付ける。それには、取付ベース２およびスライド片４の下方からカバー片３を近付けて取付ベース２に押し当てる。すると、カバー片３の一対の係止爪３ｃが取付ベース２の一対の係止溝２ｅに係合し、カバー片３が取付ベース２に取り付けられた状態となる。
【００４２】
このとき、カバー片３は、上述したとおり、第２開口部３ｂの側部開口面３ｄが配管導入面Ｐ１と面一になっている。したがって、カバー片３が取付ベース２に取り付けられた状態では、第２開口部３ｂの側部開口面３ｄが横架材１９の下面１９ｂにほぼ接するとともに、第１開口部３ａの配管導入面Ｐ１が横架材１９の下面１９ｂとほぼ面一になる。その結果、横架材１９の高さＤ１が低い場合であっても、この横架材１９の出隅コーナー１９ｃに出隅コーナー用化粧カバー１を隙間なく適正に取り付けることが可能となる。
【００４３】
また、取付ベース２は、上述したとおり、横架材１９の出隅コーナー１９ｃに対して所定の位置に正確に取り付けられているので、カバー本体３１を所定の位置に設置し、ひいては出隅コーナー用化粧カバー１を正確かつ迅速に取り付けることができる。
【００４４】
ここで、出隅コーナー用化粧カバー１の施工が終了する。
【００４５】
このように、出隅コーナー用化粧カバー１は、上述したとおり、スライド片４が移動自在に設けられているので、室内機１１とカバー片３との間に隙間がある場合には、スライド片４を外部へ突出させることにより、この隙間を覆うことができる。その結果、この隙間を覆うための隙間カバー（図示せず）を別途用意しなくても、室内機１１の据付に付随する配管保護作業を迅速に行うことができ、配管保護カバー１の施工性を改善することが可能となる。
【００４６】
しかも、この出隅コーナー用化粧カバー１は、上述したとおり、スライド片４とカバー片３の両方が取付ベース２に取り付けられており、この取付ベース２が横架材１９の出隅コーナー１９ｃに正確に取り付けられているので、出隅コーナー用化粧カバー１全体の位置精度を高めることができる。
【００４７】
また、図７に示すように、横架材１９の高さＤ１がさらに低いため、室内機１１の下面１１ａが横架材１９の下面１９ｂにほぼ一致している場合にも、配管１８を保護する配管保護カバーとして、出隅コーナー用化粧カバー１、第２配管ダクト１５、入隅コーナー用化粧カバー１６、第３配管ダクト１７を用いる。このとき、出隅コーナー用化粧カバー１のカバー片３と室内機１１との間に隙間がほとんど生じないため、出隅コーナー用化粧カバー１は、次に述べるとおり、スライド片４を後退させてカバー片３内に収容した状態で取り付ける。
【００４８】
なお、出隅コーナー用化粧カバー１以外の配管保護カバー（第２配管ダクト１５、入隅コーナー用化粧カバー１６、第３配管ダクト１７）の施工については、公知の手順に従って行われるため、ここではその説明を省略する。
【００４９】
まず、ベース取付工程で、上述した手順と同様にして、図７に示すように、横架材１９の下面１９ｂで出隅コーナー１９ｃの近傍に取付ベース２をねじ（図示せず）で固定する。このとき、取付ベース２には位置決めリブ２ｄが設けられているので、この位置決めリブ２ｄを横架材１９の出隅コーナー１９ｃに当てることにより、取付ベース２を所定の位置に正確かつ迅速に取り付けることができる。但し、取付ベース２の位置決めリブ２ｄが室内機１１と干渉する場合には、取付ベース２を横架材１９に固定するのに先立ち、この位置決めリブ２ｄをニッパーなどの切断手段（図示せず）を用いて切り落とす。
【００５０】
その後、配管工程に移行し、この取付ベース２に沿って配管１８を配設する。
【００５１】
次いで、スライド取付工程に移行し、上述した手順と同様にして、この配管１８を覆うように、取付ベース２にスライド片４を取り付ける。そして、スライド片４を所定の距離だけ室内機１１と反対側へ最下位まで下降させる。このとき、スライド片４は各被把持片４ｃの両端に一対のストッパ４ｂが設けられているので、スライド片４の脱落をストッパ４ｂによって防ぐことができる。
【００５２】
最後に、カバー取付工程に移行し、上述した手順と同様にして、このスライド片４および配管１８を覆うように、取付ベース２にカバー片３を取り付ける。
【００５３】
このとき、カバー片３は、上述したとおり、第２開口部３ｂの側部開口面３ｄが配管導入面Ｐ１と面一になっている。したがって、カバー片３が取付ベース２に取り付けられた状態では、第２開口部３ｂの側部開口面３ｄが横架材１９の下面１９ｂにほぼ接するとともに、第１開口部３ａの配管導入面Ｐ１が横架材１９の下面１９ｂとほぼ面一になる。その結果、横架材１９の高さＤ１が低い場合であっても、この横架材１９の出隅コーナー１９ｃに出隅コーナー用化粧カバー１を隙間なく適正に取り付けることが可能となる。
【００５４】
また、取付ベース２は、ベース取付工程で位置決めリブ２ｄが切り落とされなかった場合には、上述したとおり、横架材１９の出隅コーナー１９ｃに対して所定の位置に正確に取り付けられているので、カバー本体３１を所定の位置に設置し、ひいては出隅コーナー用化粧カバー１を正確かつ迅速に取り付けることができる。
【００５５】
ここで、出隅コーナー用化粧カバー１の施工が終了する。
【００５６】
この場合も、この出隅コーナー用化粧カバー１は、上述したとおり、スライド片４とカバー片３の両方が取付ベース２に取り付けられているので、取付ベース２が横架材１９の出隅コーナー１９ｃに正確に取り付けられている場合には、出隅コーナー用化粧カバー１全体の位置精度を高めることができる。
【００５７】
さらに、図８に示すように、横架材１９の奥行きＤ２が短いため、出隅コーナー用化粧カバー１と入隅コーナー用化粧カバー１６とがあまり離れていない場合には、配管１８を保護する配管保護カバーとして、導出部用化粧カバー１２、第１配管ダクト１３、出隅コーナー用化粧カバー１、入隅コーナー用化粧カバー１６、第３配管ダクト１７を用いる。このとき、出隅コーナー用化粧カバー１と入隅コーナー用化粧カバー１６との間に少し隙間が生じるため、出隅コーナー用化粧カバー１は、カバー片３の第１開口部３ａの配管導入面Ｐ１を配管導出面Ｐ２に変更すると同時に、カバー片３の第２開口部３ｂの配管導出面Ｐ２を配管導入面Ｐ１に変更した上で、次に述べるとおり、この隙間に応じてスライド片４を所定の距離だけ横向きに突出させた状態で取り付ける。
【００５８】
なお、出隅コーナー用化粧カバー１以外の配管保護カバー（導出部用化粧カバー１２、第１配管ダクト１３、入隅コーナー用化粧カバー１６、第３配管ダクト１７）の施工については、公知の手順に従って行われるため、ここではその説明を省略する。
【００５９】
まず、ベース取付工程で、図８に示すように、横架材１９の前面１９ａで出隅コーナー１９ｃの近傍に取付ベース２をねじ（図示せず）で固定する。それには、取付ベース２の底板２ａを横架材１９の前面１９ａに宛い、この状態で、取付ベース２のねじ孔２ｂにねじを挿通して横架材１９の前面１９ａにねじ込む。
【００６０】
このとき、取付ベース２には、上述したとおり、位置決めリブ２ｄが設けられているので、この位置決めリブ２ｄを横架材１９の出隅コーナー１９ｃに当てることにより、取付ベース２を所定の位置に正確かつ迅速に取り付けることができる。
【００６１】
その後、配管工程に移行し、この取付ベース２に沿って配管１８を配設する。
【００６２】
次いで、スライド取付工程に移行し、この配管１８を覆うように、取付ベース２にスライド片４を取り付ける。それには、取付ベース２の下方からスライド片４を近付けて取付ベース２に押し当てる。すると、スライド片４の一対の被把持片４ｃが取付ベース２の一対の把持片２ｆに嵌合して弾性的に把持され、スライド片４が取付ベース２に移動自在に取り付けられた状態となる。そして、出隅コーナー用化粧カバー１と入隅コーナー用化粧カバー１６との隙間に応じて、スライド片４を所定の距離だけ入隅コーナー用化粧カバー１６側へ水平移動させる。このとき、スライド片４は、上述したとおり、取付ベース２に任意の位置で保持されるように構成されているので、スライド片４が外力などの影響を受けて所定の位置からずれてしまう事態を未然に防止することができる。しかも、スライド片４は、上述したとおり、各被把持片４ｃの両端に一対のストッパ４ｂが設けられているので、スライド片４の脱落をストッパ４ｂによって防ぐことができる。
【００６３】
最後に、カバー取付工程に移行し、このスライド片４および配管１８を覆うように、取付ベース２にカバー片３を取り付ける。それには、取付ベース２およびスライド片４の前方からカバー片３を近付けて取付ベース２に押し当てる。すると、カバー片３の一対の係止爪３ｃが取付ベース２の一対の係止溝２ｅに係合し、カバー片３が取付ベース２に取り付けられた状態となる。
【００６４】
このとき、カバー片３は、上述したとおり、第２開口部３ｂの側部開口面３ｄが配管導出面Ｐ２と面一になっている。したがって、カバー片３が取付ベース２に取り付けられた状態では、第２開口部３ｂの側部開口面３ｄが横架材１９の前面１９ａにほぼ接するとともに、第１開口部３ａの配管導出面Ｐ２が横架材１９の前面１９ａとほぼ面一になる。その結果、横架材１９の奥行きＤ２が短い場合であっても、この横架材１９の出隅コーナー１９ｃに出隅コーナー用化粧カバー１を隙間なく適正に取り付けることが可能となる。
【００６５】
また、取付ベース２は、上述したとおり、横架材１９の出隅コーナー１９ｃに対して所定の位置に正確に取り付けられているので、カバー本体３１を所定の位置に設置し、ひいては出隅コーナー用化粧カバー１を正確かつ迅速に取り付けることができる。
【００６６】
ここで、出隅コーナー用化粧カバー１の施工が終了する。
【００６７】
このように、出隅コーナー用化粧カバー１は、上述したとおり、スライド片４が移動自在に設けられているので、出隅コーナー用化粧カバー１と入隅コーナー用化粧カバー１６との間に隙間がある場合には、スライド片４を外部へ突出させることにより、この隙間を覆うことができる。その結果、この隙間を覆うための隙間カバー（図示せず）を別途用意しなくても、室内機１１の据付に付随する配管保護作業を迅速に行うことができ、配管保護カバー１の施工性を改善することが可能となる。
【００６８】
しかも、この出隅コーナー用化粧カバー１は、上述したとおり、スライド片４とカバー片３の両方が取付ベース２に取り付けられており、この取付ベース２が横架材１９の出隅コーナー１９ｃに正確に取り付けられているので、出隅コーナー用化粧カバー１全体の位置精度を高めることができる。
【００６９】
また、図９に示すように、横架材１９の奥行きＤ２がさらに短いため、出隅コーナー用化粧カバー１と入隅コーナー用化粧カバー１６とがほとんど離れていない場合にも、配管１８を保護する配管保護カバーとして、導出部用化粧カバー１２、第１配管ダクト１３、出隅コーナー用化粧カバー１、入隅コーナー用化粧カバー１６、第３配管ダクト１７を用いる。このとき、出隅コーナー用化粧カバー１と入隅コーナー用化粧カバー１６との間に隙間がほとんど生じないため、出隅コーナー用化粧カバー１は、カバー片３の第１開口部３ａの配管導入面Ｐ１を配管導出面Ｐ２に変更すると同時に、カバー片３の第２開口部３ｂの配管導出面Ｐ２を配管導入面Ｐ１に変更した上で、次に述べるとおり、スライド片４を後退させてカバー片３内に収容した状態で取り付ける。
【００７０】
なお、出隅コーナー用化粧カバー１以外の配管保護カバー（導出部用化粧カバー１２、第１配管ダクト１３、入隅コーナー用化粧カバー１６、第３配管ダクト１７）の施工については、公知の手順に従って行われるため、ここではその説明を省略する。
【００７１】
まず、ベース取付工程で、上述した手順と同様にして、図９に示すように、横架材１９の前面１９ａで出隅コーナー１９ｃの近傍に取付ベース２をねじ（図示せず）で固定する。このとき、取付ベース２には位置決めリブ２ｄが設けられているので、この位置決めリブ２ｄを横架材１９の出隅コーナー１９ｃに当てることにより、取付ベース２を所定の位置に正確かつ迅速に取り付けることができる。但し、取付ベース２の位置決めリブ２ｄが入隅コーナー用化粧カバー１６と干渉する場合には、取付ベース２を横架材１９に固定するのに先立ち、この位置決めリブ２ｄをニッパーなどの切断手段（図示せず）を用いて切り落とす。
【００７２】
その後、配管工程に移行し、この取付ベース２に沿って配管１８を配設する。
【００７３】
次いで、スライド取付工程に移行し、上述した手順と同様にして、この配管１８を覆うように、取付ベース２にスライド片４を取り付ける。そして、スライド片４を所定の距離だけ室内機１１と反対側へ最下位まで下降させる。このとき、スライド片４は各被把持片４ｃの両端に一対のストッパ４ｂが設けられているので、スライド片４の脱落をストッパ４ｂによって防ぐことができる。
【００７４】
最後に、カバー取付工程に移行し、上述した手順と同様にして、このスライド片４および配管１８を覆うように、取付ベース２にカバー片３を取り付ける。
【００７５】
このとき、カバー片３は、上述したとおり、第２開口部３ｂの側部開口面３ｄが配管導出面Ｐ２と面一になっている。したがって、カバー片３が取付ベース２に取り付けられた状態では、第２開口部３ｂの側部開口面３ｄが横架材１９の前面１９ａにほぼ接するとともに、第１開口部３ａの配管導出面Ｐ２が横架材１９の前面１９ａとほぼ面一になる。その結果、横架材１９の奥行きＤ２が短い場合であっても、この横架材１９の出隅コーナー１９ｃに出隅コーナー用化粧カバー１を隙間なく適正に取り付けることが可能となる。
【００７６】
また、取付ベース２は、ベース取付工程で位置決めリブ２ｄが切り落とされなかった場合には、上述したとおり、横架材１９の出隅コーナー１９ｃに対して所定の位置に正確に取り付けられているので、カバー本体３１を所定の位置に設置し、ひいては出隅コーナー用化粧カバー１を正確かつ迅速に取り付けることができる。
【００７７】
ここで、出隅コーナー用化粧カバー１の施工が終了する。
【００７８】
この場合も、この出隅コーナー用化粧カバー１は、上述したとおり、スライド片４とカバー片３の両方が取付ベース２に取り付けられているので、取付ベース２が横架材１９の出隅コーナー１９ｃに正確に取り付けられている場合には、出隅コーナー用化粧カバー１全体の位置精度を高めることができる。
［発明のその他の実施の形態］
【００７９】
なお、上述した実施の形態１では、取付ベース２にスライド片４が設けられている場合について説明したが、このスライド片４は、カバー片３に設けるようにしてもよい。すなわち、取付ベース２に把持片２ｆを設ける代わりに、カバー片３に把持片（図示せず）を設け、この把持片にスライド片４の被把持片４ｃが弾性的に把持されることにより、スライド片４がカバー片３に任意の位置で保持されるように構成しても構わない。この場合、横架材１９に取付ベース２を取り付けた後、スライド片４が設けられたカバー片３をこの取付ベース２に取り付けるという取付手順を採用することにより、出隅コーナー用化粧カバー１の施工を円滑に行うことができる。
【００８０】
また、上述した実施の形態１では、第１開口部３ａの配管導入面Ｐ１と第２開口部３ｂの配管導出面Ｐ２とが互いに直交しているカバー片３について説明した。しかし、配管導入面Ｐ１と配管導出面Ｐ２とが、必ずしも９０°で交差する必要はなく、９０°以外の角度（例えば、８０°、１２０°など）で交差しても構わない。
【００８１】
また、上述した実施の形態１では、２個の位置決めリブ２ｄを有する取付ベース２について説明したが、この位置決めリブ２ｄの個数は２個に限るわけではない。
【００８２】
また、上述した実施の形態１では、室内機１１の下面から下向きに配管１８を導出する場合について説明した。しかし、室内機１１の側面から横向きに配管１８を導出した後、この配管１８を９０°曲げて下向きに導く場合に本発明を同様に適用することも可能である。
【００８３】
さらに、上述した実施の形態１では、空気調和装置の室内機６に出隅コーナー用化粧カバー１を取り付ける場合について説明した。しかし、空気調和装置の室内機１１以外の機器（例えば、給水器、給湯器など）に出隅コーナー用化粧カバー１を取り付ける場合に本発明を同様に適用することも可能である。
【産業上の利用可能性】
【００８４】
本発明は、梁、桁、壁面の角部、柱の段差部その他の横架材の前面に取り付けられた機器から導出された配管を覆う出隅コーナー用化粧カバーに広く適用することができる。
【符号の説明】
【００８５】
１……出隅コーナー用化粧カバー
２……取付ベース
２ｄ……位置決めリブ
２ｆ……把持片
３……カバー片
３ａ……第１開口部
３ｂ……第２開口部
３ｄ……側部開口面
４……スライド片
４ｂ……ストッパ
４ｃ……被把持片
１１……室内機（機器）
１８……配管
１９……横架材
１９ａ……前面
１９ｂ……下面
１９ｃ……出隅コーナー
Ｄ１……横架材の高さ
Ｄ２……横架材の奥行き
Ｐ１……配管導入面
Ｐ２……配管導出面
【図１】
0006021405.tif 000002
【図２】
0006021405.tif 000003
【図３】
0006021405.tif 000004
【図４】
0006021405.tif 000005
【図５】
0006021405.tif 000006
【図６】
0006021405.tif 000007
【図７】
0006021405.tif 000008
【図８】
0006021405.tif 000009
【図９】
0006021405.tif 000010
【図１０】
0006021405.tif 000011